(57)【要約】【課題】簡易な構成でウィンドウ表示画像の外周に任意の背景画像を表示することができる画像表示装置の提供。【解決手段】画像表示装置４は、表示手段４１と、ＣＧＲＯＭ４２と、ＧＰＵ４３と、スケーラ４５と、制御手段４７とを備える。制御手段４７は、ＧＰＵ４３に、ＣＧＲＯＭ４２に記憶された全体背景画像データに基づく全体背景画像を生成させるとともに、この全体背景画像をスケーラ４５に転送させる背景画像転送部４７１と、ＧＰＵ４３に、ＣＧＲＯＭ４２に記憶されたウィンドウ表示画像データに基づくウィンドウ表示画像を生成させるとともに、このウィンドウ表示画像をスケーラ４５に転送させるウィンドウ表示画像転送部４７２と、スケーラ４５に、背景画像およびウィンドウ表示画像の合成画像を出力させる表示制御部４７３とを備える。【選択図】図１
2008289786.tif 000002
【特許請求の範囲】
【請求項１】
画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置であって、
前記画像データ記憶手段には、前記表示手段における表示領域に背景画像を表示するための背景画像データと、前記表示領域の一部分に画像をウィンドウ表示するためのウィンドウ表示画像データとが記憶され、
前記制御手段は、
前記背景画像データに基づく背景画像を前記画像生成手段に生成させるとともに、当該背景画像を前記解像度調整手段に転送させる背景画像転送部と、
前記ウィンドウ表示画像データに基づくウィンドウ表示画像を前記画像生成手段に生成させるとともに、当該ウィンドウ表示画像を前記解像度調整手段に転送させるウィンドウ表示画像転送部と、
前記解像度調整手段による前記描画用記憶部に記憶された画像の出力を制御する表示制御部とを備えることを特徴とする画像表示装置。
【請求項２】
請求項１に記載の画像表示装置において、
前記背景画像転送部は、前記表示手段における表示領域全体の解像度に応じた解像度の全体背景画像を前記画像生成手段に生成させるとともに、当該全体背景画像を前記解像度調整手段に転送させることを特徴とする画像表示装置。
【請求項３】
請求項１に記載の画像表示装置において、
前記背景画像転送部は、前記背景画像が分割された分割背景画像を前記画像生成手段に生成させるとともに、当該分割背景画像を前記解像度調整手段に転送させることを特徴とする画像表示装置。
【請求項４】
請求項１から請求項３のいずれかに記載の画像表示装置において、
前記表示制御部は、前記画像生成手段により前記背景画像が転送されている場合に、前記描画用記憶部に記憶された画像の出力を前記解像度調整手段に停止させることを特徴とする画像表示装置。
【請求項５】
請求項１から請求項４のいずれかに記載の画像表示装置を備えることを特徴とする遊技機。
【請求項６】
画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置に用いられる画像表示方法であって、
前記制御手段が、
前記表示手段における表示領域に背景画像を表示するための背景画像データに基づく背景画像を生成させるとともに、当該背景画像を前記解像度調整手段に転送させる背景画像転送ステップと、
前記表示領域の一部分に画像をウィンドウ表示するためのウィンドウ表示画像データに基づくウィンドウ表示画像を生成させるとともに、当該ウィンドウ表示画像を前記解像度調整手段に転送させるウィンドウ表示画像転送ステップと、
前記解像度調整手段による前記描画用記憶部に記憶された画像の出力を制御する表示制御ステップとを実行することを特徴とする画像表示方法。
【請求項７】
画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置に用いられる画像表示プログラムであって、
前記表示手段における表示領域に背景画像を表示するための背景画像データに基づく背景画像を前記画像生成手段に生成させるとともに、当該背景画像を前記解像度調整手段に転送させる背景画像転送ステップと、
前記表示領域の一部分に画像をウィンドウ表示するためのウィンドウ表示画像データに基づくウィンドウ表示画像を前記画像生成手段に生成させるとともに、当該ウィンドウ表示画像を前記解像度調整手段に転送させるウィンドウ表示画像転送ステップと、
前記解像度調整手段による前記描画用記憶部に記憶された画像の出力を制御する表示制御ステップとを前記制御手段に実行させることを特徴とする画像表示プログラム。
【請求項８】
請求項７に記載の画像表示プログラムがコンピュータに読取可能に記録されていることを特徴とする記録媒体。
【発明の詳細な説明】
【技術分野】
【０００１】
本発明は、画像表示装置、遊技機、画像表示方法、画像表示プログラム、および記録媒体に関する。
【背景技術】
【０００２】
従来、パチンコ機等の遊技機において、所定の演出パターンの画像を表示する画像表示装置を備えた構成が知られている（例えば、特許文献１参照）。
特許文献１に記載の画像表示装置は、画像を表示する表示手段と、表示用の画像データを記憶するＣＧＲＯＭ(Character Generator Read Only Memory)と、ＣＧＲＯＭに記憶された画像データに基づく画像を生成するＶＤＰ(Video Display Processor)と、ＶＤＰにて生成された画像が仮想的に描画される表示バッファ等を備えている。そして、ＶＤＰは、表示バッファに描画された画像に基づく画像信号を表示手段に出力し、表示手段は、この画像信号に基づく画像を表示する。
【０００３】
なお、表示バッファに描画された画像の解像度と、表示手段における表示領域の解像度とが異なる場合には、ＶＤＰから出力される画像信号をスケーラと呼ばれる解像度を調整するデバイスに入力する。このスケーラは、ＶＤＰから出力される画像信号に係る画像の解像度を、表示手段における表示領域の解像度と同じ解像度に調整し、解像度の調整された画像に基づく画像信号を表示手段に出力する。
【０００４】
【特許文献１】特開２００６−１６７０９２号公報
【発明の開示】
【発明が解決しようとする課題】
【０００５】
ところで、画像表示装置において、表示手段における表示領域の一部分に画像をウィンドウ表示する表示方法が知られている。このような場合には、前述したスケーラは、ウィンドウ表示画像の外周を単色の画像として表示手段における表示領域の解像度と同じ解像度の画像を生成し、生成した画像に基づく画像信号を表示手段に出力する。
しかしながら、ウィンドウ表示画像の外周を単色の画像とすると、魅力的な演出パターンの画像を表示手段に表示することができず、表示される画像による演出効果が小さくなるという問題がある。このため、ウィンドウ表示画像の外周に任意の背景画像を表示したいという要求があった。
【０００６】
ここで、ウィンドウ表示画像の外周に任意の背景画像を表示するには、例えば、前述したＶＤＰや、ＧＰＵ（Graphics Processing Unit）などの画像生成デバイスを２つと、２系統の入力を有するスケーラとを備える画像表示装置の構成が考えられる。すなわち、一方の画像生成デバイスにてウィンドウ表示画像を生成し、他方の画像生成デバイスにて背景画像を生成する。そして、これらの画像に基づく画像信号をスケーラに出力し、スケーラにて各画像を合成する。このような構成によれば、ウィンドウ表示画像の外周に任意の背景画像を表示することができる。
しかしながら、このような構成では、２つの画像生成デバイスおよび２系統の入力を有するスケーラを備えるので、煩雑な構成になり画像表示装置の製造コストが増加するという問題がある。
【０００７】
本発明の目的は、簡易な構成でウィンドウ表示画像の外周に任意の背景画像を表示することができる安価な画像表示装置、遊技機、画像表示方法、画像表示プログラム、および記録媒体を提供することにある。
【課題を解決するための手段】
【０００８】
本発明の画像表示装置は、画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置であって、前記画像データ記憶手段には、前記表示手段における表示領域に背景画像を表示するための背景画像データと、前記表示領域の一部分に画像をウィンドウ表示するためのウィンドウ表示画像データとが記憶され、前記制御手段は、前記背景画像データに基づく背景画像を前記画像生成手段に生成させるとともに、当該背景画像を前記解像度調整手段に転送させる背景画像転送部と、前記ウィンドウ表示画像データに基づくウィンドウ表示画像を前記画像生成手段に生成させるとともに、当該ウィンドウ表示画像を前記解像度調整手段に転送させるウィンドウ表示画像転送部と、前記解像度調整手段による前記描画用記憶部に記憶された画像の出力を制御する表示制御部とを備えることを特徴とする。
【０００９】
このような構成によれば、制御手段は、背景画像転送部と、ウィンドウ表示画像転送部と、表示制御部とを備えるので、背景画像に基づく画像信号と、ウィンドウ表示画像に基づく画像信号とを時間的に分割して別々に解像度調整手段に出力させることができる。そして、背景画像転送部およびウィンドウ表示画像転送部にて転送された背景画像およびウィンドウ表示画像は、解像度調整手段の描画用記憶部に上書きで記憶される。すなわち、背景画像およびウィンドウ表示画像は合成されて描画用記憶部に記憶される。
したがって、画像表示装置は、１つの画像生成手段（画像生成デバイス）および１系統の入力を有する解像度調整手段（スケーラ）を備えた簡易な構成でウィンドウ表示画像の外周に任意の背景画像を表示することができる。
【００１０】
本発明では、前記背景画像転送部は、前記表示手段における表示領域全体の解像度に応じた解像度の全体背景画像を前記画像生成手段に生成させるとともに、当該全体背景画像を前記解像度調整手段に転送させることが好ましい。
【００１１】
前述したＶＤＰや、ＧＰＵなどの画像生成デバイスおよびスケーラは、それぞれ所定のドットクロック（動作クロック）に応じて画像信号を出力している。そして、画像生成デバイスおよびスケーラから出力される画像信号に係る画像のリフレッシュレートは、このドットクロックと、画像の解像度とに応じて変化する。
ここで、画像生成デバイスから出力される画像信号に係る画像のリフレッシュレートと、スケーラから出力される画像信号に係る画像のリフレッシュレートとは同じになるように設計する必要がある。画像生成デバイスおよびスケーラから出力される画像信号に係る画像のリフレッシュレートが異なる場合には、スケーラは、表示手段に正常な画像信号を出力することができないからである。
【００１２】
具体的に、例えば、画像生成デバイスから出力される画像信号に係る画像のリフレッシュレートが、スケーラから出力される画像信号に係る画像のリフレッシュレートよりも早い場合には、スケーラが表示手段に１フレーム分の画像データに係る画像信号を出力する前に、画像生成デバイスから新たな１フレーム分の画像データに係る画像信号が出力されてしまうため、スケーラは、表示手段に正常な画像信号を出力することができない。
また、例えば、画像生成デバイスから出力される画像信号に係る画像のリフレッシュレートが、スケーラから出力される画像信号に係る画像のリフレッシュレートよりも遅い場合には、スケーラが表示手段に１フレーム分の画像データに係る画像信号を出力する際に、画像生成デバイスから１フレーム分の画像データに係る画像信号が出力されていないため、スケーラは、表示手段に正常な画像信号を出力することができない。
なお、表示手段は、スケーラから出力される正常でない画像信号に基づく画像を表示領域に表示する場合には、乱れた画像を表示することとなる。
【００１３】
したがって、例えば、画像生成デバイスのドットクロックを、ウィンドウ表示画像に基づく画像信号を出力する際に、画像生成デバイスから出力される画像信号に係る画像のリフレッシュレートと、スケーラから出力される画像のリフレッシュレートとが同じになるように設計した場合、画像生成デバイスからウィンドウ表示画像よりも大きい解像度の背景画像に基づく画像信号を出力すると、画像生成デバイスから出力される画像信号に係る画像のリフレッシュレートは遅くなる。すなわち、本発明における背景画像転送部により背景画像が転送されている場合には、画像生成デバイスおよびスケーラから出力される画像信号に係る画像のリフレッシュレートが異なるので、表示手段は、乱れた画像を表示することとなる。
【００１４】
しかしながら、本発明によれば、背景画像転送部は、表示手段における表示領域全体の解像度に応じた解像度の全体背景画像を生成させるので、解像度調整手段に、この全体背景画像を一括して転送させることができる。そして、背景画像転送部により全体背景画像が転送された後、ウィンドウ表示画像が転送される。したがって、例えば、背景画像転送部により全体背景画像が転送されている場合に、スケーラから出力される画像信号を停止すれば、表示手段は、乱れた画像を表示することなく、正常な画像のみを表示することができる。
なお、全体背景画像は、表示手段における表示領域全体の解像度に応じた解像度で生成されるので、例えば、スケーラにて解像度が２倍に拡大調整される場合には、表示手段における表示領域全体の解像度に対して１／２倍の解像度の全体背景画像が生成される。
【００１５】
本発明では、前記背景画像転送部は、前記画像生成手段に、前記背景画像が分割された分割背景画像を生成させるとともに、当該分割背景画像を前記解像度調整手段に転送させることが好ましい。
ここで、画像生成手段に分割背景画像を生成させるには、例えば、画像データ記憶手段に複数の部分に分割された分割背景画像データを予め記憶させておき、この分割背景画像データに基づく分割背景画像を生成させてもよい。また、例えば、画像生成手段が画像データ記憶手段に記憶された背景画像データを複数の部分に分割して取り込むことで、分割背景画像を生成させてもよい。
【００１６】
このような構成によれば、例えば、画像データ記憶手段に複数の部分に分割された分割背景画像データを予め記憶させておくようにすれば、分割されていない大きな背景画像データを記憶させている場合と比較して、画像データ記憶手段の記憶領域を有効に利用することができる。すなわち、大きな背景画像データを画像データ記憶手段の記憶領域に記憶する場合には、連続した大きな記憶領域が必要となるが、分割された画像データを記憶する場合には、連続した記憶領域は小さくてよいので、画像データ記憶手段の記憶領域を有効に利用することができる。
【００１７】
また、例えば、画像生成手段が画像データ記憶手段に記憶された背景画像データを複数の部分に分割して取り込むことで、分割背景画像を生成させるようにすれば、画像生成手段は、表示バッファに確保する記憶領域を小さくすることができる。具体的に、画像生成手段は、生成する画像の解像度に応じた記憶領域を表示バッファに確保し、確保した記憶領域に生成した画像を仮想的に描画する。例えば、画像生成手段は、ウィンドウ表示画像の解像度に応じた記憶領域を表示バッファに確保した場合には、確保した記憶領域にウィンドウ表示画像より大きい解像度の背景画像を仮想的に描画することはできない。しかしながら、画像生成手段は、確保した記憶領域に応じて背景画像データを複数の部分に分割して取り込むことで分割背景画像を生成すれば、確保した記憶領域に分割背景画像を仮想的に描画することができる。したがって、画像生成手段は、表示バッファに確保する記憶領域を小さくすることができ、表示バッファの記憶領域を有効に利用することができる。
【００１８】
本発明では、前記表示制御部は、前記画像生成手段により前記背景画像が転送されている場合に、前記描画用記憶部に記憶された画像の出力を前記解像度調整手段に停止させることが好ましい。
このような構成によれば、表示制御部は、背景画像転送部により背景画像が転送されている場合に、描画用記憶部に記憶された画像の出力を解像度調整手段に停止させるので、表示手段は、乱れた画像を表示することなく、正常な画像のみを表示することができる。
【００１９】
本発明の遊技機は、前述した画像表示装置を備えることを特徴とする。
このような構成によれば、前述した画像表示装置と同様の作用効果を奏することができる。
【００２０】
本発明の画像表示方法は、画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置に用いられる画像表示方法であって、前記制御手段が、前記表示手段における表示領域に背景画像を表示するための背景画像データに基づく背景画像を生成させるとともに、当該背景画像を前記解像度調整手段に転送させる背景画像転送ステップと、前記表示領域の一部分に画像をウィンドウ表示するためのウィンドウ表示画像データに基づくウィンドウ表示画像を生成させるとともに、当該ウィンドウ表示画像を前記解像度調整手段に転送させるウィンドウ表示画像転送ステップと、前記解像度調整手段による前記描画用記憶部に記憶された画像の出力を制御する表示制御ステップとを実行することを特徴とする。
【００２１】
このような構成によれば、前述した画像表示装置と同様の作用効果を奏することができる。
【００２２】
本発明の画像表示プログラムは、画像を表示する表示手段と、表示用の画像データを記憶する画像データ記憶手段と、前記画像データ記憶手段に記憶された画像データに基づく画像を生成する画像生成手段と、前記画像生成手段にて生成される画像を仮想的に描画して記憶する描画用記憶部とを有し、当該描画用記憶部に記憶された画像の解像度を調整して前記表示手段に出力する解像度調整手段と、前記画像生成手段および前記解像度調整手段を制御する制御手段とを備える画像表示装置に用いられる画像表示プログラムであって、前記表示手段における表示領域に背景画像を表示するために背景画像データに基づく背景画像を前記画像生成手段に生成させるとともに、当該背景画像を前記解像度調整手段に転送させる背景画像転送ステップと、前記表示領域の一部分に画像をウィンドウ表示するためにウィンドウ表示画像データに基づくウィンドウ表示画像を前記画像生成手段に生成させるとともに、当該ウィンドウ表示画像を前記解像度調整手段に転送させるウィンドウ表示画像転送ステップと、前記解像度調整手段による前記描画用記憶部に記憶された画像の出力を制御する表示制御ステップとを前記制御手段に実行させることを特徴とする。
【００２３】
本発明の記録媒体は、前述した画像表示プログラムがコンピュータに読取可能に記録されていることを特徴とする。
このような構成によれば、前述した画像表示装置と同様の作用効果を奏することができる。
【発明を実施するための最良の形態】
【００２４】
〔第１実施形態〕
以下、本発明の第１実施形態を図面に基づいて説明する。
〔パチンコ機の概略構成〕
図１は、パチンコ機１の概略構成を示すブロック図である。
遊技機としてのパチンコ機１は、遊技者の操作により遊技球を遊技盤上に打ち出し、打ち出された遊技球が遊技盤に設けられた入賞口に入賞した場合に、所定数の遊技球を払い出すものである。このパチンコ機１は、図１に示すように、遊技機構２と、主制御装置３と、画像表示装置４を備える。
【００２５】
遊技機構２は、遊技盤２１と、球打ち出し機構２２と、払出装置２３とを備える。
遊技盤２１は、図示は省略するが、遊技面（遊技者側の面）に遊技球を導く複数の釘および風車等が配設されるとともに、遊技球が入賞すると主制御装置３に抽選処理を実行させるスタートチャッカー２１１や、主制御装置３の抽選処理に当選した場合に開放される大入賞口（アタッカー）２１２等の入賞口が所定位置に設けられている。なお、遊技面には開口が形成され、この開口から画像表示装置４を構成する後述の表示手段４１における表示領域が露出している。
【００２６】
球打ち出し機構２２は、遊技盤２１上に遊技球を打ち出すものであり、例えば、回動操作可能なハンドルと、このハンドルの回動角度に応じた力で遊技盤２１上に遊技球を打ち出すモータ等で構成される。
払出装置２３は、スタートチャッカー２１１や、大入賞口２１２等の入賞口に遊技球が入賞した際に所定数の遊技球を払い出す。
【００２７】
主制御装置３は、例えば、ＣＰＵ（Central Processing Unit）等を含んで構成され、前述した抽選処理を実施する他、パチンコ機１全体を制御する。また、主制御装置３は、抽選処理の結果に応じた制御コマンドを画像表示装置４に出力し、画像表示装置４に抽選処理の結果に応じた演出パターンのアニメーション等を表示させる。この際、所定の制御コマンドを画像表示装置４に出力することで、演出パターンのアニメーション等の表示をウィンドウ表示画像とし、このウィンドウ表示画像の外周に任意の背景画像を表示する画像表示処理を実施させることができる。なお、画像表示処理については後に詳述する。
【００２８】
画像表示装置４は、主制御装置３からの制御コマンドに応じて、所定の演出パターンのアニメーション等を表示するものであり、表示手段４１と、ＣＧＲＯＭ４２と、ＧＰＵ４３と、表示バッファ４４と、スケーラ４５と、フレームバッファ４６と、制御手段４７とを備える。
表示手段４１は、液晶パネルおよびバックライトを備えて構成され、スケーラ４５から出力される画像信号に基づく画像を所定の表示領域に表示する。また、表示手段４１における表示領域は、遊技盤２１の遊技面における開口から露出しているので、パチンコ機１の遊技者は、表示手段４１における表示領域に表示される画像を遊技盤２１の開口を介して見ることができる。なお、本実施形態では、表示手段４１における表示領域の解像度は、１２８０×９６０（水平１２８０ピクセル×垂直９６０ライン）とする。
また、表示手段４１は、液晶パネルおよびバックライトを備える構成に限らず、例えば、有機ＥＬ（Electro Luminescence）素子等を備える構成を採用してもよい。
【００２９】
画像データ記憶手段としてのＣＧＲＯＭ４２は、表示用の画像データを記憶するものであり、表示手段４１における表示領域全体の解像度と同じ解像度の全体背景画像を表示するための全体背景画像データと、表示手段４１における表示領域の一部分に画像をウィンドウ表示するためのウィンドウ表示画像データとが記憶されている。なお、ウィンドウ表示画像データは、例えば、文字や絵柄等のキャラクタ画像データや、これらのキャラクタ画像データと合成する静止画像データ等から構成されている。
【００３０】
画像形成手段としてのＧＰＵ４３は、ＣＧＲＯＭ４２に記憶された画像データに基づく画像を生成し、生成した画像に基づく画像信号をスケーラ４５に出力する。具体的に、ＧＰＵ４３は、制御手段４７による制御の下、ＣＧＲＯＭ４２に記憶された画像データに基づいて１フレーム分の画像を生成し、生成した画像を表示バッファ４４に仮想的に描画することで記憶させる。表示バッファ４４は、ＧＰＵ４３にて生成された画像を仮想的に記憶するものであり、ＧＰＵ４３は、この表示バッファ４４に記憶された画像に基づく画像信号をスケーラ４５に出力する。
また、ＧＰＵ４３は、図示しない水晶振動子を備え、この水晶振動子の出力に基づくドットクロックに応じて画像信号を出力する。なお、本実施形態では、ＧＰＵ４３のドットクロックは略３７ＭＨｚとする。そして、ＧＰＵ４３から出力される画像信号に係る画像のリフレッシュレートは、このドットクロックと、画像信号の水平周期および垂直周期とにより定まる。
【００３１】
ここで、水平周期は、水平方向の画素１ライン分の画像データに基づく画像信号の出力期間と、画像を描画する際に同期をとるための水平同期信号などが含まれる水平ブランキング期間とを加算した周期であり、ピクセル数を単位として表したものである。すなわち、水平周期のピクセル数には、水平ブランキング期間に相当するピクセル数が含まれるので、画像信号に係る画像における水平方向のピクセル数よりも大きく設定する必要がある。
また、垂直周期は、垂直方向の画素１フレーム分の画像データに基づく画像信号の出力期間と、画像を描画する際に同期をとるための垂直同期信号などが含まれる垂直ブランキング期間とを加算した周期であり、ライン数を単位として表したものである。すなわち、垂直周期のライン数には、垂直ブランキング期間に相当するライン数が含まれるので、画像信号に係る画像における垂直方向のライン数よりも大きく設定する必要がある。
なお、ＧＰＵ４３における水平周期、垂直周期、および画像の解像度は、後述する制御手段４７により設定される。
【００３２】
例えば、水平周期を９９８ピクセル、垂直周期を６１８ラインとして指定すると、ＧＰＵ４３のドットクロックは、略３７ＭＨｚであるので、ＧＰＵ４３から出力される画像信号に係る画像のリフレッシュレートは、略６０Ｈｚとなる。この場合には、ＧＰＵ４３にて生成される画像の解像度を８００×６００に指定することができる。
一方、水平周期を１４０８ピクセル、垂直周期を９８９ラインとして指定すると、ＧＰ４３のドットクロックは、略３７ＭＨｚであるので、ＧＰＵ４３から出力される画像信号に係る画像のリフレッシュレートは、略２６．７Ｈｚとなる。この場合には、ＧＰＵ４３にて生成される画像の解像度を１２８０×９６０に指定することができる。
すなわち、ＧＰＵ４３のドットクロックが同じ場合には、ＧＰＵ４３から出力される画像信号に係る画像のリフレッシュレートは、ＧＰＵ４３にて生成される画像の解像度が大きくなるに従って遅くなる。
【００３３】
解像度調整手段としてのスケーラ４５は、入力される画像信号に係る画像の解像度を調整して表示手段４１に出力する。具体的に、スケーラ４５は、制御手段４７による制御の下、ＧＰＵ４３から出力される画像信号に係る画像をフレームバッファ４６に仮想的に描画することで記憶させる。すなわち、描画用記憶部としてのフレームバッファ４６は、ＧＰＵ４３にて生成される画像を仮想的に描画して記憶する。そして、スケーラ４５は、フレームバッファ４６に記憶された画像の解像度を調整し、解像度の調整された画像に基づく画像信号を生成して表示手段４１に出力する。
また、スケーラ４５は、ＧＰＵ４３と同様に、図示しない水晶振動子を備え、この水晶振動子の出力に基づくドットクロックに応じて画像信号を出力する。なお、本実施形態では、スケーラ４５のドットクロックは略８３．２５ＭＨｚとする。そして、スケーラ４５から出力される画像信号に係る画像のリフレッシュレートは、このドットクロックと、画像信号の水平周期および垂直周期とにより定まる。
【００３４】
例えば、前述したように、ＧＰＵ４３から出力される画像信号の水平周期を９９８ピクセル、垂直周期を６１８ラインとして指定し、画像の解像度を８００×６００に指定すると、スケーラ４５は、ＧＰＵ４３のドットクロックと、ＧＰＵ４３から出力される画像信号に含まれる水平同期信号および垂直同期信号とに同期して解像度が８００×６００の画像をフレームバッファ４６に仮想的に描画することで記憶させる。そして、フレームバッファ４６に記憶された画像の解像度を、表示手段４１における表示領域の解像度と同じ解像度、すなわち、１２８０×９６０の解像度に調整し、解像度の調整された画像に基づく画像信号を生成して表示手段４１に出力する。
【００３５】
ここで、例えば、水平周期を１４０８ピクセル、垂直周期を９８９ラインとして指定すると、スケーラ４５にて出力される画像信号に係る画像のリフレッシュレートは、略６０Ｈｚとなる。この場合には、スケーラ４５にて調整される画像の解像度を、表示手段４１における表示領域の解像度と同じ１２８０×９６０に指定することができる。
なお、スケーラ４５における水平周期、垂直周期、および画像の解像度は、後述する制御手段４７により設定される。本実施形態では、制御手段４７は、前述のようにスケーラ４５から出力される画像信号の水平周期を１４０８ピクセル、垂直周期を９８９ラインとして指定し、スケーラ４５にて調整される画像の解像度を１２８０×９６０に指定する。
【００３６】
制御手段４７は、図示しないＣＰＵや、メモリ等を含んで構成され、ＧＰＵ４３およびスケーラ４５を制御する他、画像表示装置４全体を制御するものであり、背景画像転送部４７１と、ウィンドウ表示画像転送部４７２と、表示制御部４７３とを備える。なお、メモリには、画像表示装置４に、後述する画像表示処理を実行させる画像表示プログラムが記憶されている。
【００３７】
背景画像転送部４７１は、ＣＧＲＯＭ４２に記憶された全体背景画像データに基づく全体背景画像をＧＰＵ４３に生成させるとともに、この全体背景画像をスケーラ４５に転送させる。具体的に、背景画像転送部４７１は、ＧＰＵ４３から出力される画像信号の水平周期を１４０８ピクセル、垂直周期を９８９ラインとして指定し、ＧＰＵ４３にて生成される画像の解像度を１２８０×９６０に指定する。そして、背景画像転送部４７１は、ＧＰＵ４３に、表示手段４１における表示領域全体の解像度である１２８０×９６０と同じ解像度の全体背景画像を生成させるとともに、この全体背景画像をスケーラ４５に転送させる。すなわち、背景画像転送部４７１は、ＧＰＵ４３に、表示手段４１における表示領域全体の解像度に応じた解像度の全体背景画像を生成させる。なお、この場合において、ＧＰＵ４３から出力される画像信号に係る画像のリフレッシュレートは、前述したように略２６．７Ｈｚとなる。
【００３８】
ウィンドウ表示画像転送部４７２は、ＣＧＲＯＭ４２に記憶されたウィンドウ表示画像データに基づくウィンドウ表示画像をＧＰＵ４３に生成させるとともに、このウィンドウ表示画像をスケーラ４５に転送させる。具体的に、ウィンドウ表示画像転送部４７２は、ＧＰＵ４３から出力される画像信号の水平周期を９９８ピクセル、垂直周期を６１８ラインとして指定し、ＧＰＵ４３にて生成される画像の解像度を８００×６００に指定する。そして、ウィンドウ表示画像転送部４７２は、表示手段４１における表示領域の解像度である１２８０×９６０よりも小さい８００×６００の解像度のウィンドウ表示画像をＧＰＵ４３に生成させるとともに、生成されたウィンドウ表示画像をスケーラ４５に転送させる。なお、この場合において、ＧＰＵ４３から出力される画像信号に係る画像のリフレッシュレートは、前述したように略６０Ｈｚとなる。
【００３９】
表示制御部４７３は、スケーラ４５によるフレームバッファ４６に記憶された画像の出力を制御する。
具体的に、背景画像転送部４７１による制御の下、ＧＰＵ４３からスケーラ４５に全体背景画像が転送されている場合には、表示制御部４７３は、スケーラ４５に、フレームバッファ４６に記憶された画像の出力を停止させる。この場合には、ＧＰＵ４３から出力される画像信号に係る画像のリフレッシュレートは、前述したように略２６．７Ｈｚであり、スケーラ４５から出力される画像信号に係る画像のリフレッシュレートは、前述したように６０Ｈｚであり、ＧＰＵ４３およびスケーラ４５から出力される画像のリフレッシュレートが異なるので、スケーラ４５は、表示手段４１に正常な画像信号を出力することができないからである。なお、表示手段４１は、スケーラ４５から出力される正常でない画像信号に基づく画像を表示領域に表示する場合には、乱れた画像を表示することとなる。
【００４０】
また、ウィンドウ表示画像転送部４７２による制御の下、ＧＰＵ４３からスケーラ４５にウィンドウ表示画像が転送されている場合には、表示制御部４７３は、フレームバッファ４６に記憶された画像の出力をスケーラ４５に開始させる。この場合には、ＧＰＵ４３から出力される画像信号に係る画像のリフレッシュレートは、前述したようにスケーラ４５から出力される画像信号に係る画像のリフレッシュレートと同じ略６０Ｈｚであり、ＧＰＵ４３およびスケーラ４５から出力される画像のリフレッシュレートが同じであるので、スケーラ４５は、表示手段４１に正常な画像信号を出力することができるからである。
そして、表示制御部４７３による制御の下、スケーラ４５から表示手段４１に画像信号が出力されると、表示手段４１は、スケーラ４５から出力される画像信号に基づく画像を所定の表示領域に表示する。
【００４１】
次に、パチンコ機１の画像表示装置４による画像表示方法について図２および図３を参照して説明する。図２は、画像表示装置４による画像表示処理を示すフローチャートである。図３は、フレームバッファ４６に仮想的に描画される画像を示す図である。
画像表示装置４は、主制御装置３から出力された所定の制御コマンドが入力されると、制御手段４７のメモリ（図示略）に記憶された画像表示プログラムに従って、演出パターンのアニメーション等の表示をウィンドウ表示画像とし、このウィンドウ表示画像の外周に任意の背景画像を表示する画像表示処理を実行する。
【００４２】
画像表示処理が実行されると、まず、表示制御部４７３は、スケーラ４５に、フレームバッファ４６に記憶された画像に基づく画像信号の出力を停止させる（ステップＳ１）。
スケーラ４５による画像の出力が停止されると、背景画像転送部４７１は、ＧＰＵ４３から出力される画像信号の水平周期を１４０８ピクセル、垂直周期を９８９ラインとして指定し、ＧＰＵ４３にて生成される画像の解像度を１２８０×９６０に指定する（ステップＳ２）。
次に、背景画像転送部４７１は、ＧＰＵ４３に、ＣＧＲＯＭ４２に記憶された全体背景画像データに基づいて、表示手段４１における表示領域の解像度である１２８０×９６０と同じ解像度の全体背景画像Ｂ１を生成させるとともに、この全体背景画像Ｂ１をスケーラ４５に転送させる（ステップＳ３）。
【００４３】
ＧＰＵ４３から全体背景画像Ｂ１が転送されると、スケーラ４５は、この全体背景画像Ｂ１を、図３（Ａ）に示すように、ＧＰＵ４３のドットクロックと、ＧＰＵ４３から出力される画像信号に含まれる水平同期信号および垂直同期信号に同期してフレームバッファ４６に仮想的に描画することで記憶させる（ステップＳ４）。
フレームバッファ４６に全体背景画像Ｂ１が記憶されると、ウィンドウ表示画像転送部４７２は、ＧＰＵ４３から出力される画像信号の水平周期を９９８ピクセル、垂直周期を６１８ラインとして指定し、ＧＰＵ４３にて生成される画像の解像度を８００×６００に指定する（ステップＳ５）。
次に、ウィンドウ表示画像転送部４７２は、ＧＰＵ４３に、ＣＧＲＯＭ４２に記憶されたウィンドウ表示画像データに基づいて、表示手段４１における表示領域の解像度である１２８０×９６０よりも小さい８００×６００の解像度のウィンドウ表示画像Ｗ１を生成させるとともに、このウィンドウ表示画像Ｗ１をスケーラ４５に転送させる（ステップＳ６）。
【００４４】
ＧＰＵ４３からウィンドウ表示画像Ｗ１が転送されると、スケーラ４５は、このウィンドウ表示画像Ｗ１を、ＧＰＵ４３のドットクロックと、ＧＰＵ４３から出力される画像信号に含まれる水平同期信号および垂直同期信号とに同期してフレームバッファ４６に仮想的に描画することで記憶させる（ステップＳ７）。なお、この際、ウィンドウ表示画像Ｗ１は、フレームバッファ４６に記憶されている全体背景画像Ｂ１における所定位置に上書きされる。すなわち、全体背景画像Ｂ１およびウィンドウ表示画像Ｗ１は、図３（Ｂ）に示すように、合成されてフレームバッファ４６に記憶される。
フレームバッファ４６にウィンドウ表示画像Ｗ１が記憶されると、表示制御部４７３は、スケーラ４５に、フレームバッファ４６に記憶された画像に基づく画像信号の出力を開始させる（ステップＳ８）。この際、フレームバッファ４６に記憶された全体背景画像Ｂ１およびウィンドウ表示画像Ｗ１の合成画像の解像度は１２８０×９６０であり、表示手段４１における表示領域の解像度と同じであるので、スケーラ４５は、解像度の調整をすることなく、フレームバッファ４６に記憶された画像に基づく画像信号を出力する。
【００４５】
そして、スケーラ４５により１フレーム分の画像データに基づく画像信号が出力されると、制御手段４７は、ウィンドウ表示画像Ｗ１の更新をするか否かを判定する（ステップＳ９）。ウィンドウ表示画像Ｗ１の更新をすると判定されると（ステップＳ９：Ｙ）、制御手段４７は、再度、ステップＳ６〜Ｓ９を実行する。
一方、ウィンドウ表示画像Ｗ１の更新をしないと判定されると（ステップＳ９：Ｎ）、制御手段４７は、全体背景画像Ｂ１の更新をするか否かを判定する（ステップＳ１０）。全体背景画像Ｂ１の更新をすると判定されると（ステップＳ１０：Ｙ）、制御手段４７は、再度、ステップＳ１〜Ｓ１０を実行する。そして、全体背景画像Ｂ１の更新をしないと判定されると（ステップＳ１０：Ｎ）、制御手段４７は、画像表示処理を終了する。
以上のようなステップＳ１〜Ｓ１０により、画像表示装置４は、演出パターンのアニメーション等の表示をウィンドウ表示画像Ｗ１とし、このウィンドウ表示画像Ｗ１の外周に任意の全体背景画像Ｂ１を表示することができる。
【００４６】
本実施形態に係るパチンコ機１によれば、次のような効果がある。
（１）制御手段４７は、背景画像転送部４７１と、ウィンドウ表示画像転送部４７２と、表示制御部４７３とを備えるので、全体背景画像Ｂ１に基づく画像信号と、ウィンドウ表示画像Ｗ１に基づく画像信号とを時間的に分割して別々にスケーラ４５に転送することができる。したがって、画像表示装置４は、１つのＧＰＵ４３および１系統の入力を有するスケーラ４５を備えた安価な構成でウィンドウ表示画像Ｗ１の外周に任意の全体背景画像Ｂ１を表示することができる。
【００４７】
（２）背景画像転送部４７１は、表示手段４１における表示領域全体の解像度に応じた解像度の全体背景画像Ｂ１をＧＰＵ４３に生成させるので、スケーラ４５に、生成した全体背景画像を一括して転送させることができる。そして、表示制御部４７３は、背景画像転送部４７１により全体背景画像Ｂ１が転送されている場合に、フレームバッファ４６に記憶された画像に基づく画像信号の出力をスケーラ４５に停止させるので、表示手段４１は、乱れた画像を表示することなく、正常な画像のみを表示することができる。
（３）フレームバッファ４６に同一の画像が長時間記憶されていると、静電ノイズなどの影響により、記憶されている画像に係るデータが壊れてしまう恐れがあるため、フレームバッファ４６に記憶された画像は、所定時間ごとに更新されることが望ましい。本実施形態によれば、制御手段４７は、ステップＳ１０を実行するので、所定時間ごとにフレームバッファ４６に記憶された画像を更新することができる。
【００４８】
〔第２実施形態〕
本発明の第２実施形態に係るパチンコ機１Ａについて説明する。
なお、以下の説明では、既に説明した部分については、同一符号を付してその説明を省略する。
図４は、パチンコ機１Ａの概略構成を示すブロック図である。
前記第１実施形態に係るパチンコ機１を構成する画像表示装置４は、背景画像転送部４７１を備え、背景画像転送部４７１は、ＣＧＲＯＭ４２に記憶された全体背景画像データに基づいて、表示手段４１における表示領域の解像度と同じ解像度の全体背景画像Ｂ１をＧＰＵ４３に生成させるとともに、この全体背景画像Ｂ１をスケーラ４５に転送させていた。これに対して、本実施形態に係るパチンコ機１Ａを構成する画像表示装置４Ａは、図４に示すように、背景画像分割転送部４７４を備え、背景画像分割転送部４７４は、ＧＰＵ４３Ａに、ＣＧＲＯＭ４２Ａに記憶された分割背景画像データに基づいて、全体背景画像Ｂ１が複数の部分に分割された分割背景画像を生成させるとともに、この分割背景画像をスケーラ４５Ａに順次転送させている点で異なる。
【００４９】
ＣＧＲＯＭ４２Ａには、表示手段４１における表示領域全体の解像度と同じ解像度の全体背景画像を表示するための全体背景画像データを４分割した分割背景画像データと、表示手段４１における表示領域の一部分に画像をウィンドウ表示するためのウィンドウ表示画像データとが記憶されている。すなわち、分割背景画像データは、表示手段４１における表示領域の解像度である１２８０×９６０の背景画像データを４分割した６４０×４８０の解像度の画像データである。
【００５０】
背景画像分割転送部４７４は、ＣＧＲＯＭ４２Ａに記憶された分割背景画像データに基づく分割背景画像をＧＰＵ４３Ａに生成させるとともに、この分割背景画像をスケーラ４５Ａに順次転送させる。具体的に、背景画像分割転送部４７４は、ＧＰＵ４３Ａから出力される画像信号の水平周期を１２３６ピクセル、垂直周期を４９８ラインとして指定し、ＧＰＵ４３Ａにて生成される画像の解像度を６４０×４８０に指定する。そして、背景画像分割転送部４７４は、ＧＰＵ４３に、表示手段４１における表示領域の解像度である１２８０×９６０の全体背景画像を４分割した６４０×４８０の解像度の分割背景画像を生成させるとともに、これらの分割背景画像をスケーラ４５Ａに順次転送させる。なお、この場合において、ＧＰＵ４３Ａから出力される画像信号に係る画像のリフレッシュレートは略６０Ｈｚとなる。
【００５１】
スケーラ４５Ａは、入力される画像信号に係る画像の解像度を調整して表示手段４１に出力する。具体的に、ＧＰＵ４３Ａから全体背景画像Ｂ１を４分割した分割背景画像が順次転送されるので、スケーラ４５Ａは、これらの分割背景画像を順次フレームバッファ４６に仮想的に描画することで記憶させる。この際、６４０×４８０の解像度の分割背景画像は、フレームバッファ４６上で合成される。すなわち、スケーラ４５Ａは、４分割される前の１２８０×９６０の全体背景画像Ｂ１をフレームバッファ４６に仮想的に描画することで記憶させる。そして、スケーラ４５Ａは、フレームバッファ４６に記憶された画像の解像度を調整し、解像度の調整された画像に基づく画像信号を生成して表示手段４１に出力する。
【００５２】
次に、パチンコ機１Ａの画像表示装置４Ａによる画像表示方法について図５および図６を参照して説明する。図５は、画像表示装置４Ａによる画像表示処理を示すフローチャートである。図６は、フレームバッファ４６に仮想的に描画される画像を示す図である。
画像表示装置４Ａは、主制御装置３から出力された所定の制御コマンドが入力されると、演出パターンのアニメーション等の表示をウィンドウ表示画像とし、このウィンドウ表示画像の外周に任意の背景画像を表示する画像表示処理を実行する。
画像表示処理が実行されると、まず、表示制御部４７３は、フレームバッファ４６に記憶された画像に基づく画像信号の出力をスケーラ４５Ａに停止させる（ステップＳ１）。
【００５３】
スケーラ４５Ａによる画像の出力が停止されると、背景画像分割転送部４７４は、ＧＰＵ４３Ａから出力される画像信号の水平周期を１２３６ピクセル、垂直周期を４９８ラインとして指定し、ＧＰＵ４３Ａにて生成される画像の解像度を６４０×４８０に指定する（ステップＳ２２）。
次に、背景画像分割転送部４７４は、ＧＰＵ４３Ａに、ＣＧＲＯＭ４２Ａに記憶された分割背景画像データに基づく分割背景画像Ｂ２１〜Ｂ２４を生成させるとともに、これらの分割背景画像Ｂ２１〜Ｂ２４をスケーラ４５Ａに順次転送させる（ステップＳ２３）。
【００５４】
ＧＰＵ４３Ａから分割背景画像Ｂ２１〜Ｂ２４が転送されると、スケーラ４５Ａは、これらの分割背景画像Ｂ２１〜Ｂ２４を、ＧＰＵ４３Ａのドットクロックと、ＧＰＵ４３Ａから出力される画像信号に含まれる水平同期信号および垂直同期信号とに同期してフレームバッファ４６に仮想的に描画することで記憶させる（ステップＳ２４）。この際、図６（Ａ）〜（Ｄ）に示すように、６４０×４８０の解像度の分割背景画像Ｂ２１〜Ｂ２４は、フレームバッファ４６上で順次合成される。
具体的に、まず、背景画像分割転送部４７４は、ＧＰＵ４３Ａに、ＣＧＲＯＭ４２Ａに記憶された全体背景画像Ｂ１の左上に位置する分割背景画像データに基づく左上分割背景画像Ｂ２１を生成させるとともに、この左上分割背景画像Ｂ２１をスケーラ４５Ａに転送させる。そして、スケーラ４５Ａは、この左上分割背景画像Ｂ２１を、フレームバッファ４６における左上位置に仮想的に描画することで記憶させる（図６（Ａ））。
【００５５】
次に、背景画像分割転送部４７４は、ＧＰＵ４３Ａに、ＣＧＲＯＭ４２Ａに記憶された全体背景画像Ｂ１の右上に位置する分割背景画像データに基づく右上分割背景画像Ｂ２２を生成させるとともに、この右上分割背景画像Ｂ２２をスケーラ４５Ａに転送させる。そして、スケーラ４５Ａは、この右上分割背景画像Ｂ２２を、フレームバッファ４６における右上位置に仮想的に描画することで記憶させる（図６（Ｂ））。
そして、背景画像分割転送部４７４は、左下分割背景画像Ｂ２３および右下分割背景画像Ｂ２４をスケーラ４５Ａに順次転送させ、スケーラ４５Ａは、この左下分割背景画像Ｂ２３および右下分割背景画像Ｂ２４を、フレームバッファ４６における左下位置および右下位置に仮想的に描画することで記憶させる（図６（Ｃ），図６（Ｄ））。
【００５６】
フレームバッファ４６に分割背景画像Ｂ２１〜Ｂ２４が記憶されると、前記第１実施形態と同様に、画像表示装置４はステップＳ５〜Ｓ９を実行する。
そして、ステップＳ９において、ウィンドウ表示画像Ｗ１の更新をしないと判定されると（ステップＳ９：Ｎ）、制御手段４７は、分割背景画像Ｂ２１〜Ｂ２４の更新をするか否かを判定する（ステップＳ２１０）。分割背景画像Ｂ２１〜Ｂ２４の更新をすると判定されると（ステップＳ２１０：Ｙ）、制御手段４７は、再度、ステップＳ１〜Ｓ２１０を実行する。そして、分割背景画像Ｂ２１〜Ｂ２４の更新をしないと判定されると（ステップＳ２１０：Ｎ）、制御手段４７Ａは、画像表示処理を終了する。
【００５７】
このような本実施形態においても、前記第１実施形態と同様の作用、効果を得ることができる他、以下の作用、効果を奏することができる。
すなわち、ＣＧＲＯＭ４２Ａに全体背景画像データが４分割された分割背景画像データを予め記憶させているので、分割されていない大きな背景画像データを記憶させている場合と比較して、ＣＧＲＯＭ４２Ａの記憶領域を有効に利用することができる。
【００５８】
〔実施形態の変形〕
なお、本発明は前記実施形態に限定されるものではなく、本発明の目的を達成できる範囲での変形、改良等は本発明に含まれるものである。
前記各実施形態では、フレームバッファ４６に記憶された全体背景画像Ｂ１およびウィンドウ表示画像Ｗ１の合成画像の解像度は１２８０×９６０であり、表示手段４１における表示領域の解像度と同じであるので、スケーラ４５は、解像度の調整をすることなく、フレームバッファ４６に記憶された画像に基づく画像信号を出力していた。これに対して、例えば、表示手段における表示領域の解像度よりも小さい解像度の背景画像を画像生成手段に生成させて、解像度調整手段にて背景画像の解像度を拡大するように調整してもよい。なお、この場合には、ウィンドウ表示画像は、背景画像の拡大率と同じ比率で拡大される。したがって、例えば、表示手段における表示領域の解像度が１２８０×９６０であり、背景画像の解像度が１０２４×７６８である場合には、背景画像は、解像度調整手段にて１．２５倍に拡大されるので、ウィンドウ表示画像の解像度を６４０×４８０とすると、表示手段の表示領域には、解像度が８００×６００のウィンドウ表示画像が表示される。
【００５９】
前記各実施形態では、表示制御部４７３は、ＧＰＵ４３からスケーラ４５に背景画像が転送されている場合に、スケーラ４５，４５Ａに、フレームバッファ４６に記憶された画像の出力を停止させていたが、例えば、解像度調整手段に単色の画像を出力させるようにしてもよい。さらには、画像生成手段により背景画像が転送される時間が短く、表示手段における表示領域に表示される画像の乱れが気にならない場合などには、表示制御部は、描画用記憶部に記憶された画像の出力を停止させなくてもよい。
前記第２実施形態では、ＣＧＲＯＭ４２Ａには、表示手段４１における表示領域全体の解像度と同じ解像度の全体背景画像を表示するための全体背景画像データを４分割した分割背景画像データが記憶されていたが、例えば、１６分割した分割背景画像データが記憶されていてもよい。要するに、背景画像データが複数の部分に分割された分割背景画像データを画像データ記憶手段に予め記憶させておけばよい。
【００６０】
前記第２実施形態では、背景画像分割転送部４７４は、ＧＰＵ４３Ａに、ＣＧＲＯＭ４２Ａに記憶された分割背景画像データに基づく分割背景画像Ｂ２１〜Ｂ２４を生成させるとともに、これらの分割背景画像Ｂ２１〜Ｂ２４をスケーラ４５Ａに順次転送させていた。これに対して、例えば、画像生成手段が画像データ記憶手段に記憶された背景画像データを複数の部分に分割して取り込むことで、分割背景画像を生成させてもよい。
前記実施形態では、画像表示装置４は、パチンコ機１に用いられるとしたが、パチスロ機などの他の遊技機に用いてもよく、さらには、携帯機器や、オーディオ機器などに用いてもよい。また、液晶テレビ等の画像表示装置に本発明を適用してもよい。
【産業上の利用可能性】
【００６１】
本発明は、画像表示装置に利用することができ、特に、遊技機に用いられる画像表示装置に好適に利用することができる。
【図面の簡単な説明】
【００６２】
【図１】本発明の第１実施形態に係るパチンコ機の概略構成を示すブロック図。
【図２】前記実施形態における画像表示装置による画像表示処理を示すフローチャート。
【図３】前記実施形態におけるフレームバッファに仮想的に描画される画像を示す図。
【図４】本発明の第２実施形態に係るパチンコ機の概略構成を示すブロック図。
【図５】前記実施形態における画像表示装置による画像表示処理を示すフローチャート。
【図６】前記実施形態におけるフレームバッファに仮想的に描画される画像を示す図。
【符号の説明】
【００６３】
１，１Ａ…パチンコ機（遊技機）、４，４Ａ…画像表示装置、４１…表示手段、４２，４２Ａ…ＣＧＲＯＭ（画像データ記憶手段）、４３，４３Ａ…ＧＰＵ（画像生成手段）、４５，４５Ａ…スケーラ（解像度調整手段）、４６…フレームバッファ（描画用記憶部）、４７，４７Ａ…制御手段、４７１…背景画像転送部、４７２…ウィンドウ表示画像転送部、４７３…表示制御部、４７４…背景画像分割転送部（背景画像転送部）、Ｓ２３，Ｓ３…背景画像転送ステップ、Ｓ６…ウィンドウ表示画像転送ステップ、Ｓ８…表示制御ステップ。
【図１】
2008289786.tif 000003
【図２】
2008289786.tif 000004
【図３】
2008289786.tif 000005
【図４】
2008289786.tif 000006
【図５】
2008289786.tif 000007
【図６】
2008289786.tif 000008